(57)【要約】【課題】収束するまでの距離が長い滝状の吐水を実現できる吐水装置を提供すること。【解決手段】吐水装置１は、細長状の吐水口２１が形成される吐水プレート２０を備え、吐水口２１は、その向かい合う長辺部分３１，３２が、吐水口２１の長手方向において、中央側から両端側に近づくにつれて連続的又は段階的に互いに離れるように形成される。また、吐水口２１の向かい合う長辺部分３１，３２は、長手方向に平行であって、吐水口２１の短辺部分３５，３６の中央を通る仮想直線Ｌを対称軸とした線対称の関係になるように形成される。【選択図】図４
2015175166.tif 000002
【特許請求の範囲】
【請求項１】
細長状の吐水口が形成される吐水部を備える吐水装置であって、
前記吐水口は、
その向かい合う長辺部分が、前記吐水口の長手方向において、中央側から両端側に近づくにつれて連続的又は段階的に互いに離れるように形成される吐水装置。
【請求項２】
前記吐水口の向かい合う前記長辺部分は、
前記長手方向に平行であって、前記吐水口の短辺部分の中央を通る仮想的な直線を対称軸とした線対称の関係になるように形成される請求項１に記載の吐水装置。
【請求項３】
前記吐水口の向かい合う前記長辺部分は、
前記長手方向の中央に形成され、前記長手方向に平行な直線状の直線部と、
前記直線部の両側に形成され、前記長手方向において、前記吐水口の両端側に近づくにつれて互いに離れるように傾く傾斜部と、をそれぞれ有する請求項１又は２に記載の吐水装置。
【請求項４】
前記吐水口の向かい合う前記長辺部分は、
前記長手方向において、その中央部から前記吐水口の両端まで互いに離れるように連続的に傾く傾斜部がそれぞれ形成され、
前記吐水部は、
一側の前記長辺部分の前記中央部と他側の前記長辺部分の前記中央部との間に配置され、少なくとも吐水方向を向く形状が前記吐水方向に向けて先細状に形成されるリブを備える請求項１又は２に記載の吐水装置。
【請求項５】
前記吐水部は、
前記吐水口の一側の長辺部分に対して他側の長辺部分が低い位置になるように配置されるとともに、前記他側の長辺部分に沿って前記吐水口の外側に細長状の膨出部を備える請求項１から４のいずれかに記載の吐水装置。
【請求項６】
前記吐水口は、
その短辺部分が円弧状に形成される請求項１から５のいずれかに記載の吐水装置。
【発明の詳細な説明】
【技術分野】
【０００１】
本発明は、細長状の吐水口が形成される吐水部を備える吐水装置に関する。
【背景技術】
【０００２】
従来から、滝状の吐水を行う吐水装置が知られている。この種の吐水装置を開示するものとして、特許文献１がある。特許文献１には、給水管に接続され得る吐水口装置において、以下の構成が開示される。即ち、吐水口装置は、幕の形状を以て水の流れを提供し、そして水がそれを流れ越えたのち前記吐水口装置から出て行く流れ面を有するものにおいて、前記流れ面の中央区域が該流れ面の側区域に比し高くされている。そして、吐水装置の開口が両側部におけるよりも中央部において狭隘にする構成が開示されている。また、特許文献２には、吐水口はその端部の巾両端部を吐水口開口縁へ向けて広がるテーパ形状とした吐水具が開示されている。更に、特許文献３には、吐水口は、幅がほぼ一定の直線部と、その両端部に連続して、吐水方向に互いに平行に延びるように形成された、上記直線部よりも幅が広くなったほぼ円形の拡大部と、を備え、これらの直線部及び拡大部からの吐水により幅広の薄膜状の吐水が形成される吐水装置が開示されている。
【先行技術文献】
【特許文献】
【０００３】
【特許文献１】特開昭６３−２４７４３３号公報
【特許文献２】実公平７−５４３６２号公報
【特許文献３】特許第４１５４７３３号公報
【発明の概要】
【発明が解決しようとする課題】
【０００４】
滝状の吐水を行うための吐水口は、細長状に形成されるため、吐水口の中央と両端では流速の差が大きくなる。そのため、吐水口からの吐水後、しだいに中央側にすぼまるように収束する問題があった。滝状の吐水は、美観の観点からも、できるだけ収束するまでの距離が長い方が好ましい。この点、特許文献１、２及び３に開示されるいずれの吐水口においても、均一な幅を維持しつつ収束するまでの距離を十分なものにできるほど流速分布を均一にすることができず、滝状吐水の収束距離を長くするという点で改善の余地があった。
【０００５】
本発明は、収束するまでの距離が長い滝状の吐水を実現できる吐水装置を提供することを目的とする。
【課題を解決するための手段】
【０００６】
（１）上記目的を達成するため本発明は、細長状の吐水口（例えば、後述の吐水口２１）が形成される吐水部（例えば、後述の吐水プレート２０）を備える吐水装置（例えば、後述の吐水装置１）であって、前記吐水口は、その向かい合う長辺部分（例えば、後述の長辺部分３１，３２）が、前記吐水口の長手方向において、中央側から両端側に近づくにつれて連続的又は段階的に互いに離れるように形成される吐水装置を提供する。
【０００７】
これにより、向かい合う長辺部分が両端側に近づくにつれて互いに離れるように形成されるので、滝状の吐水が長手方向で偏るのを効果的に抑制できるとともに、長手方向の流速分布を略均一なものにすることができ、収束するまでの距離が長い滝状吐水を実現できる。
【０００８】
（２）前記吐水口の向かい合う前記長辺部分は、前記長手方向に平行であって、前記吐水口の短辺部分（例えば、後述の短辺部分３５，３６）の中央を通る仮想的な直線（例えば、後述の仮想直線Ｌ）を対称軸とした線対称の関係になるように形成されることが好ましい。
【０００９】
これにより、吐水口の流速分布の偏りを吐水口全域にわたってなくすことができ、より均一な幅に整えられるとともに、長手方向に平行な一直線状の滝状吐水を実現できる。
【００１０】
（３）前記吐水口の向かい合う前記長辺部分は、前記長手方向の中央に形成され、前記長手方向に平行な直線状の直線部（例えば、後述の直線部３１１，３２１）と、前記直線部の両側に形成され、前記長手方向において、前記吐水口の両端側に近づくにつれて互いに離れるように傾く傾斜部（例えば、後述の傾斜部３１２，３２２）と、をそれぞれ有することが好ましい。
【００１１】
これにより、傾斜部によって流速分布を均一なものにしつつ、吐水口の外周部をシールするＯリング（例えば、後述のＯリング１８）等によって、向かい合う長辺部分を接触させようとする力が外部から働く場合であっても、長辺部分の中央に形成される直線部によって吐水部の剛性が確保されているので、長辺部分の変形を防止できる。
【００１２】
（４）前記吐水口（例えば、後述の吐水口４２１）の向かい合う前記長辺部分（例えば、後述の長辺部分４３１，４３２）は、前記長手方向において、その中央部（例えば後述の中央部４３９，４４０）から前記吐水口の両端まで互いに離れるように連続的に傾く傾斜部（例えば、後述の傾斜部４４１，４４２）がそれぞれ形成され、前記吐水部（後述の吐水プレート４２０）は、一側の前記長辺部分の前記中央部と他側の前記長辺部分の前記中央部との間に配置され、少なくとも吐水方向を向く形状が前記吐水方向に向けて先細状に形成されるリブ（例えば、後述のリブ４２５）を備えることが好ましい。
【００１３】
これにより、長辺部分における傾斜部の割合を大きくすることができ、中央と両端側の流速の差が大きいような場合であっても、均一な形状の滝状吐水を実現できる。また、向かい合う長辺部分を接触させようとする力が外部から働く場合であっても、向かい合う長辺部分が最も接近する中央部に形成されるリブによって、長辺部分同士の接触を妨げることができ、長辺部分同士が接触して滝状吐水が分割されてしまうような事態を防止できる。更に、リブは吐水方向に向けて先細状に形成されているので、リブによって滝状吐水を分割してしまう事態も防止できる。
【００１４】
（５）前記吐水部は、前記吐水口の一側の長辺部分に対して他側の長辺部分が低い位置になるように配置されるとともに、前記他側の長辺部分に沿って前記吐水口の外側に細長状の膨出部（例えば、後述の膨出部２２）を備えることが好ましい。
【００１５】
これにより、吐水装置の吐水を止めたときに、吐水口から吐水部の表面をつたって低い位置へと移動しようとする水の動きを膨出部によって規制することができ、吐水装置の本体下面での水垂れを効果的に防止できる。
【００１６】
（６）前記吐水口は、その短辺部分（例えば、後述の短辺部分３５，３６）が円弧状に形成されることが好ましい。
【００１７】
これにより、吐水口の両端側で水が飛散して滝状吐水の両端の形状が崩れる事態を効果的に防止できるとともに幅広の滝状吐水を得ることができる。
【発明の効果】
【００１８】
本発明の吐水装置によれば、収束するまでの距離が長い滝状の吐水を実現できる。
【図面の簡単な説明】
【００１９】
【図１】第１実施形態の吐水装置を下面側からみた様子を示す斜視図である。
【図２】吐水装置が壁に取り付けられた状態を示す側面図である。
【図３】吐水装置の本体内部の様子を模式的に示す平面図である。
【図４】吐水装置の本体に取り付けられた吐水プレートの様子を示す拡大図である。
【図５】吐水プレートの吐水口の端部の様子を模式的に示す拡大図である。
【図６】吐水装置の本体に取り付けられた吐水プレートの様子を示す拡大側面図である。
【図７】第２実施形態の吐水プレートの様子を示す平面図である。
【図８】図７のＡ−Ａ線断面図である。
【図９】図７のＢ−Ｂ線断面図である。
【図１０】第３実施形態の吐水プレートの断面図である。
【発明を実施するための形態】
【００２０】
以下、本発明の吐水装置の好ましい各実施形態について、図面を参照しながら説明する。図１は、第１実施形態の吐水装置１を下面側からみた様子を示す斜視図である。図２は、吐水装置１が壁に取り付けられた状態を示す側面図である。図３は、吐水装置１の本体１０内部の様子を模式的に示す平面図である。なお、以下の説明において、吐水方向とは、水が流れる方向のことであり、特に説明なく上流及び下流といった場合は水が流れる方向における上流及び下流である。
【００２１】
まず、第１実施形態に係る吐水装置１の全体構成について説明する。図１に示すように、吐水装置１は、本体１０と、切替ハンドル１１と、温度調節ハンドル１２と、吐水プレート２０と、を備える。
【００２２】
本体１０は、外部から湯が供給される配管と、水が供給される配管と、がその背面にそれぞれ接続されている。本実施形態の本体１０は、その背面に、接続される配管を覆う配管カバー１３，１４を備える。配管はこの配管カバー１３，１４の内部空間を通って本体１０に接続される。図２に示すように、本実施形態では、本体１０が配管を介して壁面に支持される形で、吐水装置１が浴室等の壁に取り付けられる。本体１０の背面における配管カバー１３と配管カバー１４との間には、図略のシャワー部へ湯水を給水するためのチューブ５が接続されている。
【００２３】
図３に示すように、本体１０の内部には、配管を介して送られてきた湯水を混合して後述する吐水口２１から吐水するための流路１７が形成されている。図３において破線で示す流路１７は、その一部を示したものである。本実施形態では、本体１０の流路１７は、前述のシャワー部へもチューブ５を介して湯水が供給可能に形成される。
【００２４】
切替ハンドル１１は、給水先を吐水装置１の吐水口２１かシャワー部かのいずれかに切り替えるためのものであり、本体１０の一側の側面に配置されている。吐水装置１の使用者は、この切替ハンドル１１によって、湯水の出し止めや吐水される水量の調節を行う。
【００２５】
温度調節ハンドル１２は、吐水される湯水の温度を調節するものであり、本体１０の切替ハンドル１１が配置された面とは反対の側面に配置される。本実施形態の吐水装置１は、使用者が用途に応じて湯水の温度調節が可能な混合水栓であり、例えばサーモスタット混合水栓式等、適宜の方式が採用される。
【００２６】
図１に示すように、吐水プレート２０は、細長状の吐水口２１を有するように形成されており、本体１０の下面に取り付けられている。吐水プレート２０は、本体１０の流路１７の終端に配置されており、配管を介して本体１０に供給された湯水は吐水口２１によって滝状に整形される。なお、吐水プレート２０の詳細な構成については後述する。
【００２７】
次に、吐水装置１の本体１０の内部構造について説明する。第１実施形態の吐水装置１は、本体１０の内部に緩衝室１９を備えるように構成される。図３に示すように、緩衝室１９は、本体１０の内部に部屋状に形成され、本体１０の内部の流路１７上であって吐水プレート２０よりも上流側に配置されている。
【００２８】
緩衝室１９の内部には、円柱状に形成される複数の緩衝部材１９１が、千鳥状に配置されている。複数の緩衝部材１９１は、いずれも、その軸方向が重力方向に平行になるように緩衝室１９の上下方向に配置されており、緩衝室１９の天井面と床面を接続している。配管から送られてきた湯水はこの緩衝室１９を通って吐水プレート２０の吐水口２１から外部に吐水される。緩衝部材１９１は、湯水が流れる方向に対して直交する上下方向に配置されているので、緩衝室１９に入った湯水は緩衝部材１９１と衝突し、その勢いが減退させられ流れが整えられた状態で吐水プレート２０が配置される下流側に送られることになる。このように、本実施形態の吐水装置１は、配管から送られてきた湯水の流速を緩めるための緩衝部材１９１を更に備えるように構成される。
【００２９】
次に吐水プレート２０の詳細な構成について説明する。図４は、吐水装置１の本体１０に取り付けられた吐水プレート２０の様子を示す拡大図である。図５は、吐水プレート２０の吐水口２１の端部の様子を模式的に示す拡大図である。図５では、吐水口２１の端部の一方側が拡大して表現されており、もう一方側の端部については拡大した端部と同一構造であるので省略されている。図６は、吐水装置１の本体１０に取り付けられた吐水プレート２０の様子を示す拡大側面図である。
【００３０】
図４に示すように、吐水プレート２０は、吐水装置１の本体１０の下面にネジ６０等の締結部材を介して固定されている。図４、図５及び図６に示すように、第１実施形態の吐水プレート２０は、プレート本体３０と、吐水口２１と、膨出部２２と、環状部２３と、整流網２４と、凹部５１と、を備える。以下、吐水プレート２０が備える各構成について説明する。
【００３１】
プレート本体３０は、細長の板状に形成されている。吐水口２１は、このプレート本体３０の平面部分の中央に形成される。
【００３２】
吐水口２１は、向かい合う長辺部分３１，３２と、向かい合う短辺部分３５，３６と、に囲まれる細長状の開口としてプレート本体３０に形成されている。図４に示すように、短辺部分３５，３６は、いずれも円弧状に形成される。
【００３３】
一側の長辺部分３１は、直線部３１１と、この直線部３１１の両側に配置される傾斜部３１２と、を有する。他側の長辺部分３２は、直線部３２１と、この直線部３２１の両側に配置される傾斜部３２２と、を有する。直線部３１１，３２１は、いずれも長辺部分３１，３２の中央に、吐水口２１の長手方向に略平行になるように略直線状に形成される。向かい合う傾斜部３１２，３２２は、中央側から両端側に近づくにつれて互いに離れる末広がりの形状となっている。なお、以下の説明において、単に、一側の長辺部分３１といった場合は、吐水プレート２０を取り付けた状態で本体１０の先端側に位置する長辺部分３１を意味する。同様に、他側の長辺部分３２といった場合は、本体１０の基端側に位置する長辺部分３２を意味するものとする（図４参照）。
【００３４】
図５に示すように、吐水口２１の長手方向と平行であり、短辺部分３５，３６の中央を通過する直線を仮想直線Ｌとして吐水口２１の形状を説明する。この仮想直線Ｌに直交する方向において、仮想直線Ｌから長辺部分３１又は長辺部分３２までの距離を距離ｄとする。長辺部分３１，３２の傾斜部３１２，３２２は、この距離ｄが中央側から両端側に近づくにつれて連続的に大きくなるように形成されている。従って、中央側の距離ｄ１と両端側の距離ｄ２は、ｄ２＞ｄ１の関係が成立している。更に、傾斜部３１２，３２２は、その向かい合う部分における距離ｄの増加分が等しくなるように設定されている。このように、本実施形態の向かい合う長辺部分３１，３２は、仮想直線Ｌを対称軸とする線対称の関係となっている。
【００３５】
また、本実施形態の吐水口２１は、仮想直線Ｌによって２つの領域に分けた場合に、短手方向に並ぶ二つの領域の面積が等しくなるように形成されているとも言える。より具体的には、仮想直線Ｌ、長辺部分３１及び短辺部分３５，３６に囲まれる領域を一側領域Ｚ１とする。同様に、仮想直線Ｌ、長辺部分３２及び短辺部分３５，３６に囲まれる領域をもう一つの領域として他側領域Ｚ２とする。本実施形態の吐水口２１の開口部分は、この一側領域Ｚ１及び他側領域Ｚ２からなり、この一側領域Ｚ１の面積と他側領域Ｚ２の面積とが等しくなるように形成されているとも言える。
【００３６】
膨出部２２について説明する。図４に示すように、膨出部２２は、吐水口２１の他側の長辺部分３２に沿って細長状のリブとして形成される。図６に示すように、膨出部２２は、プレート本体３０の平面部分から当該プレート本体３０の厚み方向に膨出している。図６の側面視では、膨出部２２は、その断面形状が下向きの略三角形状となっており、吐水口２１側の斜辺部分が内側に湾曲する円弧状に形成されている。
【００３７】
図２の側面視に示すように、本体１０の下面は、先端側から壁側（基端側）に近づくにつれて下側に傾斜するように形成されている。図６に示すように、吐水プレート２０は、本体１０に取り付けた状態では、プレート本体３０の壁側が下側に傾いており、吐水口２１の一側の長辺部分３１に対して他側の長辺部分３２が低い位置にある状態となる。この状態で吐水装置１の吐水を止めると、吐水口２１から漏れ出た水滴がプレート本体３０の表面をつたって本体１０の壁側に移動しようとする場合がある。このような場合でも、他側の長辺部分３２に沿って形成される膨出部２２によって水滴の移動が規制され、本体１０の壁側の下面から水滴が垂れる事態を防止できる。
【００３８】
環状部２３について説明する。図６に示すように、環状部２３は、プレート本体３０における膨出部２２が形成される面と反対側の面に配置される。環状部２３は、吐水口２１より一回り大きい筒状に形成され、その断面形状が細長の楕円になっている。環状部２３の内部空間は、吐水口２１に連通しており、本体１０の流路１７から送られてきた湯水はこの環状部２３を通って吐水口２１に到達するようになっている。
【００３９】
環状部２３には、シール部材としてのＯリング１８が取り付けられる取付溝４０がその外周面の全周にわたって形成される。吐水プレート２０は、Ｏリング１８を取付溝４０に取り付けた状態で、本体１０に固定される。
【００４０】
整流網２４について説明する。図４に示すように、整流網２４は、吐水口２１から流れる湯水を整流するためのものであり、吐水口２１を覆うように環状部２３の内周面に支持される。本実施形態の整流網２４は、吐水プレート２０の成型時に環状部２３の内部に組み込まれるようにしてインサートされ、環状部２３と一体的な部材となっている。
【００４１】
凹部５１は、吐水プレート２０を本体１０に固定するためにネジ６０を締結する箇所であり、プレート本体３０の平面部分に凹状に形成される。図４に示すように、本実施形態では、凹部５１は、吐水口２１の両側に２つ配置される。図６に示すように、ネジ６０によって吐水プレート２０が本体１０に取り付けられた状態では、プレート本体３０の平面部分と本体１０の下面とが略同一平面状にあるように隙間なく取り付けられる。
【００４２】
次に吐水装置１の動作について説明する。使用者が吐水するように吐水装置１の切替ハンドル１１を操作すると、配管を介して送られてきた湯水が本体１０の流路１７上の緩衝室１９に送られる。緩衝室１９内の緩衝部材１９１によって、湯水の勢いが減退し、流れが整えられた状態で、吐水プレート２０側へ送られる。吐水プレート２０に送られてきた湯水は吐水口２１によって、滝状に整形されて吐水される。このように、本実施形態では、本体１０の流路１７に配置される緩衝室１９によって湯水の流れが十分に減退し、流れが整えられた状態で、吐水プレート２０へ湯水が送られるので、より均一な幅の滝状吐水が可能となっている。
【００４３】
以上説明した第１実施形態の吐水装置１によれば、以下のような効果を奏する。
第１実施形態の吐水装置１は、細長状の吐水口２１が形成される吐水プレート２０を備え、吐水口２１は、その向かい合う長辺部分３１，３２が、吐水口２１の長手方向において、中央側から両端側に近づくにつれて連続的又は段階的に互いに離れるように形成される。これにより、向かい合う長辺部分３１，３２が両端側に近づくにつれて互いに離れるように形成されるので、滝状の吐水が長手方向に偏るのを効果的に抑制できるとともに、長手方向の流速分布を略均一なものにすることができ、収束するまでの距離が長い滝状吐水を実現できる。
【００４４】
吐水口２１の向かい合う長辺部分３１，３２は、長手方向に平行であって、吐水口２１の短辺部分３５，３６の中央を通る仮想直線Ｌを対称軸とした線対称の関係になるように形成される。これにより、吐水口２１の流速分布の偏りを吐水口２１全域にわたってなくすことができ、より均一な幅に整えられた滝状吐水を実現できる。
【００４５】
吐水口２１の向かい合う長辺部分３１，３２は、長手方向の中央に形成され、長手方向に平行な直線状の直線部３１１，３２１と、直線部３１１，３２１の両側に形成され、長手方向において、吐水口２１の両端側に近づくにつれて互いに離れるように傾く傾斜部３１２，３２２と、をそれぞれ有する。これにより、傾斜部３１２，３２２によって流速分布を均一なものにしつつ、吐水口２１の外周部をシールするＯリング１８等によって、向かい合う長辺部分３１，３２を接触させようとする力が外部から働く場合であっても、長辺部分３１，３２の中央に形成される直線部３１１，３２１によって吐水プレート２０の長辺部分３１，３２の剛性が確保されているので、長辺部分３１，３２の変形を防止できる。
【００４６】
吐水プレート２０は、吐水口２１の一側の長辺部分３１に対して他側の長辺部分３２が低い位置になるように配置されるとともに、長辺部分３２に沿って吐水口２１の外側に細長状の膨出部２２を備える。これにより、吐水装置１の吐水を止めたときに、吐水口２１から吐水プレート２０の表面をつたって低い位置へと移動しようとする水の動きを膨出部２２によって規制することができ、吐水装置１の本体１０下面での水垂れを効果的に防止できる。
【００４７】
吐水口２１は、その短辺部分３５，３６が円弧状に形成される。これにより、吐水口２１の両端側で水が飛散して滝状吐水の両端の形状が崩れる事態を効果的に防止できるとともに幅広の滝状吐水を得ることができる。
【００４８】
次に、第２実施形態に係る吐水装置１について説明する。図７は、第２実施形態の吐水プレート４２０の様子を示す平面図である。図８は、図７のＡ−Ａ線断面図である。図９は、図７のＢ−Ｂ線断面図である。第２実施形態の吐水装置１は、第１実施形態の吐水プレート２０とは異なる構造の吐水プレート４２０が用いられる。なお、上記実施形態と同様の構成には同じ符号を付してその説明を省略する。
【００４９】
図７、図８及び図９に示すように、第２実施形態で用いられる吐水プレート４２０は、プレート本体４３０と、吐水口４２１と、リブ４２５と、膨出部２２と、環状部２３と、整流網２４と、凹部５１と、を備える。第２実施形態の吐水プレート４２０は、プレート本体４３０に形成される吐水口４２１の形状が異なる点及びリブ４２５を更に備える点が第１実施形態の吐水プレート２０と異なっている。
【００５０】
第２実施形態の吐水口４２１について説明する。吐水口４２１は、向かい合う長辺部分４３１，４３２と、向かい合う短辺部分３５，３６と、に囲まれる細長状の開口としてプレート本体４３０の平面部分に形成されている。短辺部分３５，３６は、第１実施形態と同様に、いずれも円弧状に形成される。
【００５１】
一側の長辺部分４３１は、その中央部４３９から両側にそれぞれ延びる傾斜部４４１を有する。他側の長辺部分４３２は、その中央部４４０から両側にそれぞれ延びる傾斜部４４２を有する。向かい合う傾斜部４４１，４４２は、両端側に近づくにつれて互いに離れるように略直線状に傾斜している。第２実施形態では、向かい合う長辺部分４３１，４３２は、そのほとんどが傾斜部４４１，４４２となっており、全域にわたって連続的に互いに離れるように形成されている。第２実施形態においても、第１実施形態と同様の仮想直線Ｌを考えた場合、向かい合う長辺部分４３１，４３２は、この仮想直線Ｌを対称軸とした線対称の関係となっている。
【００５２】
リブ４２５について説明する。図８に示すように、リブ４２５は、環状部２３の内側であって、吐水プレート２０における整流網２４よりも下流側に配置されている。本実施形態のリブ４２５は、その断面形状が吐水方向の下流側が鋭角な三角形状に形成されている。図９に示すように、リブ４２５は、長辺部分４３１，４３２の中央部４３９，４４０を接続するように吐水口４２１の中央に配置され、側面視においてはその断面形状は矩形状となっている。
【００５３】
以上説明した第２実施形態の吐水装置１によれば、以下のような効果を奏する。
即ち、第２実施形態の吐水装置１は、吐水口４２１の向かい合う長辺部分４３１，４３２は、長手方向において、その中央部４３９，４４０から吐水口４２１の両端まで互いに離れるように連続的に傾く傾斜部４４１，４４２がそれぞれ形成され、吐水プレート４２０は、一側の長辺部分４３１の中央部４３９と他側の長辺部分４３２の中央部４４０との間に配置され、少なくとも吐水方向を向く形状が吐水方向に向けて先細状に形成されるリブ４２５を備えるように構成される。これにより、長辺部分４３１，４３２における傾斜部４４１，４４２の割合を大きくすることができ、中央と両端側の流速の差が大きいような場合であっても、均一な形状の滝状吐水を実現できる。また、向かい合う長辺部分４３１，４３２を接触させようとする力が外部から働く場合であっても、向かい合う長辺部分４３１，４３２が最も接近する中央部４３９，４４０に形成されるリブ４２５によって、長辺部分４３１，４３２同士の接触を妨げられ、長辺部分４３１，４３２同士が接触して滝状吐水が分割されてしまうような事態を防止できる。更に、リブ４２５は吐水方向に向けて先細状に形成されているので、リブ４２５によって滝状吐水が分割される事態も防止できる。
【００５４】
以上、本発明の吐水装置の好ましい各実施形態につき説明したが、本発明は、上述の実施形態に制限されるものではなく、適宜変更が可能である。上記実施形態の吐水口の形状は、以下のように変更することができる。例えば、向かい合う長辺部分が階段状に互いに離れる構成とすることができる。また、向かい合う長辺部分が非対称に互いに離れるように形成することもできる。例えば、第１実施形態の吐水口のように、直線部及び傾斜部を有する場合において、向かい合う長辺部分に形成される傾斜部の開始位置を、長手方向の一側にズラした非対称の形状に変更することもできる。
【００５５】
第２実施形態のリブ４２５は、その形状を適宜変更できる。例えば、第２実施形態では、吐水方向の下流側の先端が先細状に形成される構成であるが、上流側の先端についても先細状に形成することもできる。
【００５６】
上記実施形態の整流網２４は、吐水プレート２０の成型時にインサートされることにより、吐水プレート２０と一体的な部品となっているが、整流網２４を吐水プレート２０に取り付ける方法は適宜変更することができる。次に、図１０を参照して、第３実施形態の吐水プレート５２０について説明する。第３実施形態の吐水プレート５２０は、整流網２４を吐水プレート５２０に取り付ける方法及びそれに関する構成が、第２実施形態の吐水プレート４２０と異なっている。図１０は、第３実施形態の吐水プレート５２０の断面図である。この図１０は、第２実施形態で説明した図９（図７のＢ−Ｂ線断面図）に対応したものである。図１０に示すように、第３実施形態の吐水プレート５２０は、整流網２４を差し込むためのスリット５２１が環状部２３に形成される。当該スリット５２１は、吐水プレート５２０の成型時に形成される。整流網２４は、吐水プレート５２０の成型後、当該スリット５２１から差し込まれることで、吐水プレート５２０に固定される。この方法を採用することにより、成型工程を簡易なものにすることができる。
【００５７】
上記実施形態では、吐水口２１，４２１は、吐水プレート２０，４２０，５２０に形成される構成であるが、この構成は適宜変更することができる。例えば、上記実施形態では、吐水プレート２０，４２０，５２０が本体１０に別部材として取り付けられているが、吐水装置の本体に吐水口が形成される構成にも本発明は適用できる。即ち、吐水部と本体が一体的に形成される吐水装置１自体に吐水口を形成する構成とすることができる。
【００５８】
上記実施形態では、膨出部２２は、本体１０に取り付けられた状態で壁側（基端側）に位置する長辺部分３２に沿って形成される構成であるが、この構成に限定されるわけではなく、低い位置の長辺部分に沿って形成される構成であればよい。例えば、本体の下面が先端側から基端側（壁側）に近づくにつれて上側に傾斜する構成の場合は、先端側の長辺部分が基端側の長辺部分に比べて低い位置になるため、膨出部は先端側の長辺部分に沿って形成すればよい。
【００５９】
本発明は、上記実施形態で説明したように、浴室の壁面に取り付けられるタイプの吐水装置１に限定されるものではなく、種々の吐水装置に適用することができる。
【符号の説明】
【００６０】
１…吐水装置
２０…吐水プレート
２１…吐水口
２２…膨出部
３１…長辺部分
３２…長辺部分
３５…短辺部分
３６…短辺部分
３１１…直線部
３１２…傾斜部
３２１…直線部
３２２…傾斜部
４２０…吐水プレート
４２１…吐水口
４２５…リブ
４３１…長辺部分
４３２…長辺部分
４３９…中央部
４４０…中央部
４４１…傾斜部
４４２…傾斜部
５２０…吐水プレート
Ｌ…仮想直線
【図１】
2015175166.tif 000003
【図２】
2015175166.tif 000004
【図３】
2015175166.tif 000005
【図４】
2015175166.tif 000006
【図５】
2015175166.tif 000007
【図６】
2015175166.tif 000008
【図７】
2015175166.tif 000009
【図８】
2015175166.tif 000010
【図９】
2015175166.tif 000011
【図１０】
2015175166.tif 000012